(57)【要約】【課題】天井裏空間での配管設置や電気配線等の作業の容易化、及び、天井施工の容易化が図れる地下階天井裏構造等を提供する。【解決手段】本発明に係る地下階天井裏構造は、間仕切り壁５により仕切られた地下階空間２００の天井裏の上下方向に配管７が複数段に設置される地下階天井裏構造において、天井板１の上方に、天井構造３の吊元及び天井裏空間３００の作業床２を支持するための支持部となる横材４を設けたことを特徴とするものである。【選択図】図１
2018168665.tif 000002
【特許請求の範囲】
【請求項１】
間仕切り壁により仕切られた地下階空間の天井裏の上下方向に配管が複数段に設置される地下階天井裏構造において、
天井板の上方に、天井構造の吊元及び天井裏空間の作業床を支持するための支持部となる横材を設けたことを特徴とする地下階天井裏構造。
【請求項２】
横材は、間仕切り壁内に設置される支持材に支持されていることを特徴とする請求項１に記載の地下階天井裏構造。
【請求項３】
天井板と横材との間の距離は、天井構造の耐震補強を不要とできる距離に設定されたことを特徴とする請求項１又は請求項２に記載の地下階天井裏構造。
【請求項４】
間仕切り壁の壁面に沿った方向において間隔を隔てて隣り合うように設けられた横材と横材とを繋ぐ横材を設けたことを特徴とする請求項１乃至請求項３のいずれか一項に記載の地下階天井裏構造。
【請求項５】
請求項１乃至請求項４のいずれか一項に記載の地下階天井裏構造を用いて、天井裏空間での配管設置工事と天井下での間仕切り壁工事とを同時に行うことを特徴とする地下階構築方法。
【発明の詳細な説明】
【技術分野】
【０００１】
本発明は、設備配管等が設置される地下階天井裏構造等に関する。
【背景技術】
【０００２】
従来、耐震対策された天井構造が知られている（例えば、特許文献１等参照）。
当該天井構造の天井裏空間に設備機器や配管を設置する場合、天井裏空間の高さ（天井懐）を高くすることが多く、天井構造の耐震対策が必要となる。
特に、地下階の天井裏空間には、配管を上下方向に多数段に設置する場合がある。例えば、階高６．８ｍ、天井裏の高さが４．３ｍの地下階において、天井裏に最大で７段の設備配管が設置され、さらに、電気配線が交錯する。また、この場合、天井裏の高さが高いため、天井構造の耐震補強のための振れ止め材（斜めに取付けられる部材（ブレース））を設置する必要が生じる。
【先行技術文献】
【特許文献】
【０００３】
【特許文献１】特開２０１５−９０００１号公報
【発明の概要】
【発明が解決しようとする課題】
【０００４】
地下階の天井裏空間は、階高が高いため、天井裏に複数段の設備配管工事や電気配線工事を行う場合においては、地下階の床から高所作業車などを利用して配管工事や配線工事を行わなければならず、安全面でのリスクが高いだけでなく、作業効率が悪いという課題がある。また、天井裏の高さが高いため、１階スラブを吊元として天井構造を構築する場合、天井裏空間には複数段の設備配管が設置されるため、天井施工が困難となるという課題もあった。
本発明は、天井裏空間での配管設置や電気配線等の作業の容易化、及び、天井施工の容易化が図れる地下階天井裏構造等を提供するものである。
【課題を解決するための手段】
【０００５】
本発明に係る地下階天井裏構造は、天井板の上方に、天井構造の吊元及び天井裏空間の作業床を支持するための支持部となる横材を設けたことを特徴とするので、天井裏空間での配管設置や電気配線等の作業の容易化、及び、天井施工の容易化が図れるようになる。
また、横材は、間仕切り壁内に設置される支持材に支持されているので、横材が確実に支持され、天井構造の吊元及び天井裏空間の作業床を支持するための支持部を確実に形成できるようになる。
また、天井板と横材との間の距離は、天井構造の耐震補強を不要とできる距離に設定されたので、天井構造の耐震補強工事を不要とできて天井支持構造を簡単にでき、天井施工の容易化が図れる。
また、間仕切り壁の壁面に沿った方向において間隔を隔てて隣り合うように設けられた横材と横材とを繋ぐ横材を設けたので、作業床の支持力を向上させることができる。
また、本発明に係る地下階構築方法によれば、上述の地下階天井裏構造を用いて、天井裏空間での配管設置工事と天井下での間仕切り壁工事とを同時に行うので、工期短縮化が図れるようになる。
【図面の簡単な説明】
【０００６】
【図１】地下階天井裏構造を示す図。
【図２】横材の支持構造、及び、横材上に形成される作業床を上方から見た図。
【発明を実施するための形態】
【０００７】
実施形態１
実施形態１に係る地下階天井裏構造は、図１に示すように、互いに対向する図外の地中壁間に設けられる間仕切り壁５により仕切られた地下階部屋空間２００の天井裏の上下方向に配管７が複数段に設置される地下階天井裏構造であって、天井板１の上方に、作業床２及び天井構造３を支持するための支持部となる横材４を設けたことにより、配管設置や電気配線等の作業の容易化、及び、天井構造３の耐震補強工事を不要とできて天井施工の容易化が図れるようにした。
【０００８】
例えば、階高６．８ｍ、天井裏の高さが４．３ｍの地下階において、天井板１から１ｍ上方の位置に、横材４を設けるようにした。
【０００９】
横材４は、例えば、図２に示すように、地下階の間仕切り壁５の中に、横材４を支持するために増設された支持材６に連結する。この支持材６として、例えば、鉄骨角パイプを用いた。
即ち、図２に示すように、間仕切り壁５は、所定間隔を隔てて建て込まれた複数のスタッド５ａ；５ａ…にせっこうボード５ｂを貼り付けて構成されるが、隣り合うスタッド５ａ；５ａ間に支持材６を増設することにより、横材４を支持材６で支持するようにした。
尚、横材４の両端側と横材４の両端側に設置された支持材６；６とが、図外の溶接又は接続具により接続される。
このように、横材４が、間仕切り壁５内に設置される支持材６に支持された構成としたため、横材４が確実に支持され、天井構造３の吊元及び天井裏空間３００の作業床２を支持するための支持部を確実に形成できるようになる。また、支持材６が間仕切り壁５内に隠れて地下階部屋空間２００に露出しないため、地下階部屋空間２００において支持材６が邪魔にならず、地下階部屋空間２００のレイアウトの自由度が向上し、かつ、地下階部屋空間２００の見栄えを損なうこともなくなる。
【００１０】
そして、図２に示すように、所定の間隔を隔てて並ぶように複数の横材４；４…を同一水平面上に設け、当該複数の横材４；４…を天井構造３の吊元として使用するとともに、当該複数の横材４；４…の上に天井裏空間の配管設置や電気配線等の作業のための作業床２を形成する。
【００１１】
即ち、図１に示すように、吊元として使用する横材４に吊ボルト３１を取付けて、吊ボルト３１の下に野縁受けハンガー３２を取付ける。そして、当該野縁受けハンガー３２に野縁受け３３を取付けて、野縁受け３３に野縁３４を取付け、野縁３４に天井板１を取付けることで天井構造３を構築する。この場合、天井板１と吊元となる横材４との間隔が短いため、天井構造３の耐震構造を不要とできるようになる。即ち、振れ止め材を設置しなくても良くなる。
【００１２】
また、図１及び図２に示すように、複数の横材４；４…の上に作業床２を形成するための複数の板材２ａ；２ａ…を並べて作業床２を形成する。そして、作業床２の上に、立ち馬等の作業足場２０を設置して配管設置作業や電気配線作業等の作業を行うことにより、配管設置作業や電気配線作業等の作業を容易に行えるようになる。
【００１３】
尚、まず、間仕切り壁５の施工位置に間仕切り壁５を構築する前に、支持材６を建て込んで、天井面１Ｆから１ｍ程度上方の水平面上に複数の横材４；４…を設置する。即ち、横材４は、間仕切り壁５の壁面と直交するように設けられることになる。
そして、複数の横材４；４…の下方においては、天井構造３を施工するとともに、間仕切り壁５を施工し、かつ、複数の横材４；４…の上方においては、複数の横材４；４…上に作業床２を形成して立ち馬等の作業足場２０を用いて配管設置作業や電気配線作業等の作業を行う。
【００１４】
即ち、複数の横材４；４…を設置した後は、複数の横材４；４の上方に位置する天井裏空間３００での配管設置工事等の作業と、複数の横材４；４の下方に位置する地下階部屋空間２００での間仕切り壁工事等の作業とを同時に行うことができるようになるので、工期短縮化が図れるようになる。即ち、天井板１の上方に天井構造３の吊元及び天井裏空間３００の作業床を支持するための支持部となる横材４を備えた地下階天井裏構造を用いて、天井裏空間３００での配管設置工事と天井下での間仕切り壁工事とを同時に行うことができるようになる。即ち、実施形態１の地下階天井裏構造を採用すれば、少なくとも天井裏空間３００での配管設置工事と天井下での間仕切り壁５の下地構築工事と同時に行うことが可能となり、工期短縮化が図れるようになる。
【００１５】
特に、従来、例えば、図１のように、天井裏空間３００に配管７が７段に重なるエリアでは、作業の順番が複雑になり、高所作業車などを利用した作業では、作業が遅れがちになることがあり、当該作業の遅れは、地上部分の設備工事の遅れの原因にもなっていた。
一方、実施形態によれば、作業床２上において作業足場２０を自由に移動させることができるので、複雑な配管作業等も容易に行えるようになる。
【００１６】
また、従来、例えば、天井裏空間３００に配管が７段に重なるエリアにおいて、１階の床スラブ１０１から吊ボルトを吊るして天井構造を施工する場合、１階の床スラブ１０１から天井板までの距離が長くなってしまうため、耐震補強が必要となる。しかし、配管が７段に重なるエリアにおいて、耐震補強が必要な天井構造を構築する作業を行うことは、作業者が無理な姿勢で作業を行う必要があるなど、非常に困難であった。
一方、実施形態では、配管設置エリアにおいて天井下地施工を行わなくても良くなり、地下階の床１００上に通常の足場を用いて天井構造３を施工できるようになる。また、吊元となる横材４から天井板１までの距離を短くできることから、耐震補強が不要となるので、天井構造３を構築する作業を容易に行うことができるようになる。
【００１７】
即ち、実施形態に係る地下階天井裏構造によれば、天井板１の上方に、作業床２及び天井構造３を支持するための支持部となる複数の横材４；４…を設けたことにより、横材４の上に作業床２を形成することが可能となるので、配管設置や電気配線等の作業を容易かつ安全に行えるようになる。
また、横材４を天井板１の上方に設け、横材４と天井板１との間の距離を短くすることにより、横材４を天井構造３の吊元として使用できるようになって、天井構造３の耐震構造を不要とできるため、天井構造３を簡単に施工できるようになり、天井施工に係るコストを抑えることができるとともに、施工期間を短縮化できるようになる。
即ち、天井板１と横材４との間の距離を、天井構造３の耐震補強を不要とできる距離に設定したことにより、天井構造３の耐震補強工事を不要とできて天井支持構造を簡単にでき、天井施工の容易化が図れる。
【００１８】
尚、上記では、横材４を支持材６に連結して設けるようにした例を示したが、横材４は、１階の床スラブ１０１より吊り下げて設けるようにしてもよい。この場合、横材４と天井板１との間の距離を、天井構造３の耐震構造を不要とできる距離まで近付ける。即ち、横材４と天井板１との間の距離は、天井構造３の耐震構造を不要とできる距離に設定すればよい。
【００１９】
実施形態２
例えば、図２に示す横材４と横材４との間の間隔が広い場合に、これら横材４と横材４とを繋ぐようにこれら横材４；４の上に間仕切り壁５の壁面に沿って延長する図外の横材を設けるようにしてもよい。この場合、間仕切り壁５の壁面に沿って延長する複数本の図外の横材を設け、これら隣り合う図外の横材間に跨るように板材２ａを設けるようにすればよい。
【００２０】
実施形態３
実施形態１では、横材４を、間仕切り壁５の壁面と直交する方向に設けるようにした例を示したが、間仕切り壁５の壁面に沿って延長する方向に図外の横材を設けるようにしてもよい。この場合、当該図外の横材は、図２に示す間仕切り壁５の壁面と直交する方向に互いに隣り合うように複数設け、これら隣り合う図外の横材間に跨るように板材２ａを設けるようにすればよい。また、この場合、当該図外の横材は、図２に示す間仕切り壁５と間仕切り壁５とを繋ぐように設けられた図外の間仕切り壁内の支持材に連結したり、あるいは、１階の床スラブ１０１より吊り下げて設けるようにすればよい。
【００２１】
実施形態４
また、例えば、上面が同一平面上に位置されるように、横材を、図２に示す間仕切り壁５の壁面と直交して延長するように設けるとともに、図２に示す間仕切り壁５の壁面に沿って延長するように設けるようにしてもよい。例えば、図２に示す横材４と横材４とを繋ぐように間仕切り壁５の壁面に沿って延長する図外の横材を設ける場合、当該間仕切り壁５の壁面に沿って延長する図外の横材の両端を図２に示す横材４と横材４とに溶接などで連結することにより、これら横材４及び図外の横材の上面が同一平面上に位置されるように構成してもよい。
【００２２】
実施形態５
図２に示す間仕切り壁５の上部、即ち、各スタッド５ａ；５ａ…及び各支持材６；６…の上に図外の横材を設けるようにしてもよい。この場合、当該図外の横材を、各スタッド５ａ；５ａ…及び各支持材６；６…の上端、又は、各スタッド５ａ；５ａ…及び各支持材６；６…の上端部を挟む込むように設けられた図外のランナーに溶接などで連結する。そして、当該間仕切り壁５の上部に設けた図外の横材に、天井構造の吊元及び天井裏空間の作業床を支持するための支持部となる横材４を連結する。例えば、当該図外の横材の上面と横材４の上面とが同一平面上に位置されるように構成したり、あるいは、当該図外の横材の上に横材４を設置するようにすればよい。
【００２３】
また、天井裏空間３００での配管設置や電気配線等の作業が完了した後も、作業床２を残置しておくことにより、天井裏空間３００の配管や配線等のメンテナンス作業時の作業床、あるいは、メンテナンス作業時の通路等として使用できるようになる。
【符号の説明】
【００２４】
１  天井板、２  作業床、３  天井構造、４  横材、５  間仕切り壁、６  支持材、
３００  天井裏空間。
【図１】
2018168665.tif 000003
【図２】
2018168665.tif 000004